(57)【要約】【課題】  単純な構造を採用することにより製造コストを低減できる、着用者のサイズに応じて締め紐の長さを調節可能な使い捨てマスクの提供。【解決手段】  着用者の少なくとも口許を被覆可能な覆い部と、前記覆い部の左右縁部の上下に夫々接合されており、前記着用者の耳部に掛ける一対の締め紐とを備えた、使い捨てマスクにおいて、前記上下における前記接合の内少なくともいずれか一方の接合が、前記締め紐を前記覆い部に波縫いすることにより形成されたことを特徴とする使い捨てマスク。【選択図】  図１
0003117487.tif 000002
【実用新案登録請求の範囲】
【請求項１】
着用者の少なくとも口許を被覆可能な覆い部と、前記覆い部の左右縁部の上下に夫々接合されており、前記着用者の耳部に掛ける一対の締め紐とを備えた、使い捨てマスクにおいて、前記上下における前記接合の内少なくともいずれか一方の接合が、前記締め紐を前記覆い部に波縫いすることにより形成されたことを特徴とする使い捨てマスク。
【請求項２】
着用者の少なくとも口許を被覆可能な覆い部と、前記覆い部の上下縁部の左右に夫々接合されており、前記着用者の後頭部に掛ける一対の締め紐とを備えた、使い捨てマスクにおいて、前記左右における前記接合の内少なくともいずれか一方の接合が、前記締め紐を前記覆い部に波縫いすることにより形成されたことを特徴とする使い捨てマスク。
【請求項３】
前記覆い部が不織布製である、請求項１又は２記載の使い捨てマスク。
【考案の詳細な説明】
【技術分野】
【０００１】
本考案は、着用者のサイズに応じて締め紐の長さを調節可能な、使い捨てマスクに関するものである。
【背景技術】
【０００２】
従来から、着用者のサイズに応じて締め紐の長さを調節可能なマスクは存在する。例えば、特許文献１（従来技術の欄）に記載されたマスクは、図５に示すように、マスク１０１の締め紐１０２が取り付けられている部分に、締め紐１０２の長さを調整する機構を備えている。この調整機構は、マスク１０１の外縁部の左右上下部に夫々設けた突片１０３に、案内溝に続いて切込みを有した通孔を設けると共に、この切込みの上方に掛け渡され両側に出入口を有した止体を備えている。
【０００３】
また、同文献に記載された別のタイプのマスクは、締め紐を適度な長さに簡単に調整することのできる調整部材を備えている。具体的には、図６に示すように、横長の弾性薄板片２０１の後端部に一対の通孔２０２が形成され、各通孔から弾性薄板片２０１の側辺に到る切込み２０３が形成されている。また、弾性薄板片２０１には、向かい合わせて突設するとともに、弾性薄板片の後端部側に傾けた複数段の引っ掛け部２０４が形成されている。
【特許文献１】特許第３４１３５８５号公報
【考案の開示】
【考案が解決しようとする課題】
【０００４】
ところで、本考案者は、廉価な使い捨てマスクについても締め紐の長さを調節可能にすべく研究を進めてきたが、他のマスクに適用されてきた前記のような調節機構を使い捨てマスクに適用すると、製造コストが上がり、使い捨てマスクとして販売するには割高になるという問題がある。そこで、本考案は、単純な構造を採用することにより製造コストを低減できる、着用者のサイズに応じて締め紐の長さを調節可能な使い捨てマスクを提供することを目的とする。
【課題を解決するための手段】
【０００５】
本考案（１）は、着用者の少なくとも口許を被覆可能な覆い部と、前記覆い部の左右縁部の上下に夫々接合されており、前記着用者の耳部に掛ける一対の締め紐とを備えた、使い捨てマスクにおいて、前記上下における前記接合の内少なくともいずれか一方の接合が、前記締め紐を前記覆い部に波縫いすることにより形成されたことを特徴とする使い捨てマスクである。
【０００６】
本考案（２）は、着用者の少なくとも口許を被覆可能な覆い部と、前記覆い部の上下縁部の左右に夫々接合されており、前記着用者の後頭部に掛ける一対の締め紐とを備えた、使い捨てマスクにおいて、前記左右における前記接合の内少なくともいずれか一方の接合が、前記締め紐を前記覆い部に波縫いすることにより形成されたことを特徴とする使い捨てマスクである。
【０００７】
本考案（３）は、前記覆い部が不織布製である、前記考案（１）又は（２）の使い捨てマスクである。
【考案の効果】
【０００８】
本考案によれば、着用者のサイズに応じた締め紐の長さ調節手法として、締め紐を覆い部に波縫いするという極めて単純な構造を採用したので、使い捨てマスクにおいて製造コストを低減できるという効果を奏する。
【考案を実施するための最良の形態】
【０００９】
まず、図１に示すように、第一の最良形態に係る使い捨てマスク１０は、着用者の少なくとも口許を被覆可能なマスク本体１１と、その左右両側端部に一対の耳掛け１２が取り付けられている。
【００１０】
ここで、マスク本体１０は、図２に示すように、熱溶着性不織布から成る表地部材１１ａと、前記表地部材１１ａと同一又は異なる種である熱溶着性不織布である、装着時口に当たる裏地部材１１ｂの積層体から構成されている。そして、表地部材１１ａと裏地部材１１ｂは、図２に示すように上下方向に段々状に折り返された状態で、上下の長手辺部に相当する対向端縁部と左右の短手辺部に相当する対向端縁部の四辺で熱融着固定されている。ここで、上下方向の段々は、着用者により鼻から顎までの距離が違うことを踏まえ、当該部分を覆うための伸縮性を担保するよう機能する。また、上下の長手辺部における熱融着部Ａ及びＢは、表地部材１１ａ及び裏地部材１１ｂの両方が端部で折り返された状態、即ち、４層状態で熱融着されている。また、上の長手辺部における折り返し部Ｃには、着用者の骨格に沿ってマスクと口元の隙間が開きにくくなるように折り曲げ可能に構成されているノーズブリッジ１１ｃが内蔵されている。尚、表地部材１１ａ及び裏地部材１１ｂに用いられる熱溶着性不織布の素材としては、特に限定されないが、例えばスパンボンド、スパンレース、サーマルボンド、メルトブロン等の方法で製造された不織布が好適である。また、表地部材１１ａと裏地部材１１ｂは、抗菌処理したものが好ましい。更に、ノーズブリッジ１１は、戻りにくく形状を固定させる機能を有すれば材質は特に限定されないが、可燃ゴミとして一体廃棄できる素材であることが好適である。
【００１１】
次に、耳掛け１２は、マスク本体１０の左右両端部に備えられており、対を形成している。ここで、夫々の耳掛け１２は、マスク本体１０の上端部と下端部で固定（接合）されている。そして、いずれか一方（例えば上端部）の固定部（接合部）では、耳掛け１２の一方の末端が、マスク本体１０の熱接着時に、裏地部材１１ｂに熱接着（例えば超音波融着）されている。そして、他方（例えば下端部）の固定部（接合部）では、図３に示すように、耳掛け１２の他方の末端が、マスク本体１０の折り返し部Ｃに波縫い（例えば目数が２個）されており、これらの摩擦力で係止されている。ここで、当該摩擦力は、使用時には係止状態が維持される一方、着用者の耳掛け１２を引っ張る操作により、マスク本体１０に対しての耳掛け１２の相対位置を変化可能な程度に設定される。尚、耳掛け１２としては、例えば、スパンデックス（ポリウレタン）製のような、伸縮性を有する紐を使用することが好適である。ここで、波縫いに係る目の数は、剥き出しになる紐（特に長い場合）の鬱陶しさの回避や外観的な観点からは、一番最後の目を貫通した耳掛け１２の先端が装着時にマスクの外側に配されないよう、偶数（例えば２個、４個）とすることが好適であり、他方、装着した場合の違和感と皮膚に痕が残ることを回避する観点からは、一番最後の目を貫通した耳掛け１２の先端が装着時にマスクの内側に配されないよう、奇数（例えば３個、５個）とすることが好適である（図３は前者の例）。
【００１２】
ここで、より具体的な使い捨てマスクの例を挙げる。まず、表地部材１１ａ及び裏面部材１１ｂを構成する不織布は、同素材であるポリプロピレン不織布から構成されている。但し、表地部材１１ａの繊維は、切れ目が無く一本の糸で繋がっている長繊維で構成される一方、裏地部材１１ｂの繊維は、よりソフトな、１〜５１mm程度にカットされた糸でできている短繊維で構成される。また、ノーズブリッジ１１は、形状保持機能を有するポリエチレンである。更に、耳掛け１２は、ポリウレタンとポリエステルとからなる紐であり、紐の太さは例えば約３mmである。
【００１３】
これら各部材を用いて、本具体例に係る使い捨てマスクは以下のように製造される。まず、耳掛け１２（紐）の一端部を裏面部材１１ｂの左上部に熱融着し、当該他端を裏面部材１１ｂの左下部から波縫いする。尚、波縫いに係る目の数は２個であり、目と目の間隔は、例えば約３mmである。その結果、耳掛け１２（紐）の前記他端は、最後の目から裏面部材１１ｂ側に突出する。また、当該紐を通したことにより、マスク本体１０には、例えば約１mmの小孔が２個形成される。このように、紐の太さに対して形成される小孔が小さいので、図３に示すように、当該孔の中では耳掛け１２（紐）は圧縮される結果、両者に適度な摩擦力が生じる。そして、もう一方（右端部）の耳掛け１２（紐）についても同様の手法でマスク本体１０に接合する。尚、上記では、マスク本体１０に孔を予め開けるのではなく、針に紐を通して波縫いを行なう手法を例示したが、予め小孔を開けておき、そこに紐を通す手法を採用してもよい。
【００１４】
次に、図４に示すように、第二の最良形態に係る使い捨てマスク２０は、着用者の少なくとも口許を被覆可能なマスク本体２１と、その上下両側端部に一対の頭掛け２２が取り付けられている。ここで、頭掛け２２は、マスク本体２０の上下両端部に備えられており、対を形成している。ここで、夫々の頭掛け２２は、マスク本体２０の右端部と左端部で固定（接合）されている。そして、いずれか一方（例えば右端部）の固定部（接合部）では、頭掛け２２の一方の末端が、マスク本体２０の熱接着時に、裏地部材に熱接着（例えば超音波融着）されている。そして、他方（例えば左部）の固定部（接合部）では、頭掛け２２の他方の末端が、マスク本体２０の折り返し部Ｄに波縫い（例えば目数が２個）されており、これらの摩擦力で係止されている。尚、上記以外の構成は前記の第一の最良形態と同一である。
【図面の簡単な説明】
【００１５】
【図１】図１は、本考案の第一の最良形態に係る使い捨てマスク（耳掛けタイプ）の正面図である。
【図２】図２は、本考案の第一の最良形態に係る使い捨てマスクの断面図（図１のＸ−Ｘでの断面）である。
【図３】図３は、本考案の第一の最良形態に係る使い捨てマスクにおける、マスク本体に耳掛けが波縫いされた様子を示した、折り返し部の拡大図である。
【図４】図４は、本考案の第二の最良形態に係る使い捨てマスク（頭掛けタイプ）の正面図である。
【図５】図５は、着用者のサイズに応じて締め紐の長さを調節可能な、従来のマスクに係る図である。
【図６】図６は、着用者のサイズに応じて締め紐の長さを調節可能な、従来のマスクに係る図である。
【図１】
0003117487.tif 000003
【図２】
0003117487.tif 000004
【図３】
0003117487.tif 000005
【図４】
0003117487.tif 000006
【図５】
0003117487.tif 000007
【図６】
0003117487.tif 000008